(57)【要約】【課題】ライセンスの販売／購入を確実に行なうことが可能なライセンス配信方法及びライセンス配信システムを提供すること。【解決手段】クライアント端末からネットワークを介してデジタルコンテンツを視聴するためのライセンスの購入要求を受信した場合、そのライセンスの購入要求を店頭サーバの受付窓口端末で受け、この受付窓口端末で決済処理を第１段階で行なうようにする。これにより、ライセンス販売に際しての金銭の取得ミスを無くすことができる上、ライセンス販売処理において課金、未課金をチェックするテーブルや処理が不要となり、処理動作の簡素化と処理プログラムの簡素化およびメモリの有効利用を図り得る。【選択図】    図１
2005004304.tif 000002
【特許請求の範囲】
【請求項１】
ネットワークを介してデジタルコンテンツを視聴するためのライセンスの購入要求を受け付けるステップと、
ライセンスの購入要求を受け付けた後、そのライセンスの購入要求に対する決済処理を行なうステップと、
決済処理が完了した後に、前記ライセンスの購入要求に対応する購入証明を作成するステップと、
作成された購入証明をライセンスの購入要求元へ送付するステップと、
前記購入証明を含むライセンス要求に応答して該当するライセンスを生成し、ライセンスの購入要求元へ送付するステップと、
から成るライセンス配信方法。
【請求項２】
決済処理が完了した後に、購入証明の生成から発行までの履歴を記録するためのボックスセットファイルを作成し、作成したボックスセットファイルにそのファイルＩＤと前記決済のＩＤとを付加するステップをさらに有することを特徴とする請求項１記載のライセンス配信方法。
【請求項３】
前記ボックスセットファイルを作成後、前記ライセンス要求に対応する購入証明を作成するステップと、
作成された購入証明をまとめてボックスセットを生成するとともに、このボックスセットを基に前記ボックスセットファイルのファイルＩＤを変更するステップとをさらに有することを特徴とする請求項２記載のライセンス配信方法。
【請求項４】
ボックスセットを一時保持したままで、前記ボックスセットファイルＩＤをライセンスの購入要求元へ送付するステップと、
ネットワークを介してライセンスの購入要求元からのボックスセット要求を受け付けるステップと、
前記ボックスセット要求を受け付けた後、前記ボックスセット要求に対応するボックスセットをライセンスの購入要求元へ送付するステップと、
をさらに有することを特徴とする請求項３記載のライセンス配信方法。
【請求項５】
ネットワークを介してライセンスの購入要求元からのボックスセット受信通知を受け付けた後、該当するボックスセットファイルを削除するステップをさらに有することを特徴とする請求項４記載のライセンス配信方法。
【請求項６】
前記決済処理において、決済が実行されなかった場合は前記ライセンス要求／受け付けのネットワーク通信を切断することを特徴とする請求項１記載のライセンス配信方法。
【請求項７】
前記決済処理後に、購入証明の生成、送付タスクの応答が無い場合には、返金処理を実行することを特徴とする請求項１記載のライセンス配信方法。
【請求項８】
前記決済処理後に、購入証明の生成、送付タスクの応答が無い場合、購入証明の未取得一覧を送付して、未取得の購入証明を再発行することを特徴とする請求項１記載のライセンス配信方法。
【請求項９】
ネットワークを介してデジタルコンテンツを視聴するためのライセンスの購入要求を受け付けるステップと、
ライセンスの購入要求を受け付けた後、そのライセンスの購入要求に対する決済処理を行なうステップと、
決済処理が完了した後に、購入証明の生成から発行までの履歴を記録するためのボックスセットファイルを作成し、作成したボックスセットファイルにそのファイルＩＤと前記決済のＩＤとを付加するステップと、
前記ボックスセットファイルを作成後、前記ライセンスの購入要求に対する購入証明を作成するステップと、
作成された購入証明を基に前記ボックスセットファイルのファイルＩＤを変更するステップと、
前記購入証明をライセンスの購入要求元へ送付するステップと、
ネットワークを介してライセンスの購入要求元からの購入証明受信通知を受け付けた後、該当するボックスセットファイルを削除するステップと、
前記購入証明を含むライセンス要求に応答して該当するライセンスを生成し、ライセンスの購入要求元へ送付するステップと、
から成るライセンス配信方法。
【請求項１０】
ライセンス購入要求およびライセンス要求を出力するクライアント端末と、クライアント端末からネットワークを介してデジタルコンテンツを視聴するためのライセンスの購入要求を受け付ける店頭サーバと、前記ライセンスの購入要求に対応する購入証明を作成するライセンス配信管理手段とにより構成され、
店頭サーバには、前記ライセンスの購入要求を受ける受付窓口端末と、ライセンス発行に必要な処理を行なう管理端末とを設け、
店頭サーバでは、受付窓口端末において、クライアント端末からネットワークを介してデジタルコンテンツを視聴するためのライセンスの購入要求を受け付け、
ライセンスの購入要求を受け付けた後、そのライセンスの購入要求に対する決済処理を行ない、
決済処理が完了した後に、ライセンス配信管理手段において前記ライセンスの購入要求に対応する購入証明を作成し、
作成された購入証明をライセンス配信管理手段から店頭サーバを経由してクライアント端末へ送付し、
クライアント端末が前記購入証明を含むライセンス要求を送付すると、ライセンス配信管理手段が該当するライセンスを生成し、このライセンスをライセンス要求したクライアント端末へ送付することを特徴とするライセンス配信システム。
【請求項１１】
店頭サーバの管理端末は、決済処理が完了した後に、購入証明の生成から発行までの履歴を記録するためのボックスセットファイルを作成することを特徴とする請求項１０記載のライセンス配信システム。
【請求項１２】
ライセンス配信管理手段は、店頭サーバの管理端末が前記ボックスセットファイルを作成後、前記ライセンス要求に対応する購入証明を作成することを特徴とする請求項１１記載のライセンス配信システム。
【請求項１３】
店頭サーバの管理端末は、作成された購入証明をまとめてボックスセットを生成するとともに、このボックスセットを基に前記ボックスセットファイルのファイルＩＤを変更することを特徴とする請求項１２記載のライセンス配信システム。
【請求項１４】
店頭サーバの管理端末は、ボックスセットを一時保持したままで、前記ボックスセットファイルＩＤをクライアント端末へ送付し、
クライアント端末は、受信したボックスセットファイルＩＤを基にボックスセット要求を店頭サーバへ送信し、
店頭サーバの管理端末は、前記ボックスセット要求を受け付けた後、前記ボックスセット要求に対応するボックスセットをクライアント端末へ送信することを特徴とする請求項１３記載のライセンス配信システム。
【請求項１５】
店頭サーバの管理端末は、前記ボックスセットをクライアント端末へ送信し、ネットワークを介してクライアント端末からのボックスセット受信通知を受け付けた後、該当するボックスセットファイルを削除することを特徴とする請求項１４記載のライセンス配信システム。
【発明の詳細な説明】
【０００１】
【発明の属する技術分野】
本発明はディジタルコンテンツデータのライセンスを管理し、ディジタルコンテンツの適正な流通を実現するディジタルコンテンツのライセンス販売システムに関するものである。
【０００２】
【従来の技術】
ディジタルデータからなるディジタルコンテンツは、複製を繰り返しても品質が劣化しないという特性を有する。したがって、ディジタルコンテンツを用いたサービスにおいて、ディジタルコンテンツを著作権者の許可なく複製／再利用されるといった著作権侵害行為の阻止は不可欠となる。
【０００３】
この点に関しては、暗号技術の発展がディジタルコンテンツのセキュリティレベルの向上に寄与している。この暗号技術を用いた著作権侵害行為の阻止の従来例（例えば、特許文献１参照。）が公知となっている。
【０００４】
前記従来例は、ディジタルコンテンツと該コンテンツに付随するコンテンツ利用条件とを用いて、ディジタルコンテンツのライセンス流通管理を行う方法を開示しており、ディジタルコンテンツを視聴するために、オペレーションシステム機能が稼働している状態を把握し、ユーザからデジタルコンテンツを管理するデジタル管理システムに対しデジタルコンテンツの起動要求が発行されると、該ディジタルコンテンツの動作を監視し、時間貸し／回数貸しを含むＰａｙ  ｐｅｒ  ｕｓｅ  のデータやディジタルコンテンツの課金データを生成し、監視結果を集中管理型で運用されるライセンス管理センタに通知することにより、対価無くディジタルコンテンツを使用するといった不正行為を抑制する。
【特許文献１】
特開平１１−２５９５７４号公報
【０００５】
【発明が解決しようとする課題】
しかし、前記従来の方法では、ディジタルコンテンツを実際に視聴するにはライセンス管理センタへユーザがネットワーク接続をする必要があり、この機能を持たない機器で視聴することは不可能であるという課題を有していた。また、ユーザの視点から見ると、ディジタルコンテンツの利用情報を第三者に知られるため、プライバシーが保護されないという課題を有していた。また、データの通信が途中で途絶えた際のライセンス及び課金の取り扱いに関して言及されていないという課題を有していた。
【０００６】
本発明は、上記従来技術における問題点に鑑みてなされたもので、その第１の目的は、ライセンスの販売／購入を確実に行なうことが可能なライセンス配信方法及びライセンス配信システムを提供することである。
【０００７】
本発明の第２の目的は、ライセンスの販売／購入に当たって決済処理が確実に行なうことが可能なライセンス配信方法及びライセンス配信システムを提供することである。
【０００８】
本発明の第３の目的は、ライセンスの販売に当たって販売が完了した後の不要なデータの蓄積を防止できるライセンス配信方法及びライセンス配信システムを提供することである。
【０００９】
本発明の第４の目的は、ライセンスの販売／購入に当たってライセンス購入者に対して一回だけライセンスを発行することが可能なライセンス配信方法及びライセンス配信システムを提供することである。
【００１０】
本発明の第５の目的は、ライセンスの販売／購入を行なう各種業態に対して、システム構築が楽に行なえるライセンス配信方法及びライセンス配信システムを提供することである。
【００１１】
【課題を解決するための手段】
前記目的を達成するために、本発明は第１に、クライアント端末からネットワークを介してデジタルコンテンツを視聴するためのライセンスの購入要求を受信した場合、そのライセンスの購入要求を店頭サーバの受付窓口端末で受け、この受付窓口端末で決済処理を第１段階で行ない、その後、この受付窓口端末で決済が確実に終了したことを確認した後、クライアント端末側から見て前記受付窓口端末よりも奥に設置された店頭サーバの管理端末でライセンス発行に必要な処理を行なうようにしたことを特徴とする。
【００１２】
本発明は第２に、上記決済後にライセンス発行に必要な処理を行なうに際して、ライセンスを直接発行せず購入証明（一般の取引におけるレシート、受取証、或いは引換券などに相当する電子データ）を作成してクライアント端末に送付し、その後クライアント端末からライセンス発行要求を受けてライセンスを発行するようにしたことを特徴とする。
【００１３】
本発明は第３に、購入証明の生成から、クライアント端末への送付までの処理の履歴を記録するためのボックスセットファイルを作成し、作成したボックスセットファイルにそのファイルＩＤと前記決済のＩＤなどの必要なデータを、各処理の実行の都度付加するようにしたことを特徴とする。
【００１４】
本発明は第４に、購入証明の作成から、クライアント端末への送付までの処理の履歴を記録するためのボックスセットファイルを作成し、作成したボックスセットファイルにそのファイルＩＤと前記決済のＩＤ、ボックスセットのＩＤなどの必要なデータを、各処理の実行の都度付加或いは変更するようにしたことを特徴とする。
【００１５】
本発明は第５に、購入証明を作成したとき、その購入証明を直ちにクライアント端末に送付せず購入証明取得用の電子データをクライアント端末に送付し、その後クライアント端末から購入証明要求を受けて購入証明を送付するようにしたことを特徴とする。
【００１６】
本発明は第６に、購入証明を作成したとき、その購入証明を直ちにクライアント端末に送付せず、作成された購入証明をボックスセットファイルに一時保持する一方、購入証明取得用の電子データをクライアント端末に送付し、その後クライアント端末から購入証明要求を受けて購入証明を送付するようにしたことを特徴とする。ただし、前記購入証明取得用の電子データは必ずしも送付しなければならないものではなく、本発明の別の態様では購入証明を作成したとき、その購入証明を直ちにクライアント端末に送付する態様を採ってもよい。
【００１７】
本発明は第７に、購入証明をクライアント端末に送付するときはボックスセットファイルを削除するようにしたことを特徴とする。
【００１８】
【発明の実施の形態】
以下、本発明の実施の形態について、添付の図面を参照して説明する。なお、本発明はこれら実施の形態に何ら限定されるものではなく、その要旨を逸脱しない範囲において、種々なる態様で実施し得る。
【００１９】
（第１の実施の形態）
図１は、本発明の第１の実施の形態におけるライセンス販売システムの機能ブロック構成図を示している。図１において、１００はライセンス配信サーバ（ＬＤＭＳ：Ｌｉｃｅｎｓｅ  Ｄｉｓｔｒｉｂｕｔｉｏｎ  Ｍａｎａｇｅｍｅｎｔ  Ｓｅｒｖｅｒ）としての機能を有するライセンス配信管理手段、２００は店頭サーバ（ＳＦ：Ｓｔｏｒｅｆｒｏｎｔ  Ｓｅｒｖｅｒ）、３００はクライアント端末、４００はコンテンツ配信サーバ、５００は課金処理部である。
【００２０】
ライセンス配信管理手段１００は、購入証明作成手段１０１と、ライセンス生成手段１０２と、ライセンス提供手段１０３と、商品情報データベース１１０と、購入証明作成履歴格納手段１２０とで構成されている。購入証明（ＰＯＰ：Ｐｒｏｏｆ  ｏｆ  Ｐｕｒｃｈａｓｅ  ）とは一般の取引におけるレシート、受取証、或いは引換券などに相当する電子データである。また、本発明における「商品」はライセンスである。
【００２１】
店頭サーバ２００は、クライアント端末３００からのライセンスの購入要求を受け付ける受付窓口端末としてのストアフロント窓口端末２１０と、クライアント端末３００側から見てストアフロント窓口端末２１０よりも奥に設置された管理端末としてのストアフロントゲートウェイ（ＧＷ：Ｇａｔｅｗａｙ）２２０とから構成されている。ストアフロント窓口端末２１０は、クライアント要求受付手段２１１と、商品一覧格納手段２１２と、クライアント端末３００からのライセンス購入要求に対して対応処理を行なう購入要求対応手段２１３と、課金処理部５００との間で決済処理を行なう決済手段２１４とから構成されている。
【００２２】
ストアフロントゲートウェイ２２０は、ボックスセットファイルを作成するボックスセットファイル作成手段２２１と、作成されたボックスセットファイルを保持し管理するボックスセットファイル管理手段２２２と、不要になったボックスセットファイルを削除するボックスセットファイル削除手段２２３と、ライセンス配信管理手段１００から受領した購入証明を基に個々の購入証明に対応するレシートに相当するｅＢｏｘを生成し、さらにｅＢｏｘをまとめたボックスセット（購入証明の集まり）を生成するボックスセット生成手段２２４と、ボックスセットを一時保持するボックスセット一時保持手段２２５と、ボックスセット一時保持手段２２５に保持されたボックスセットをクライアント端末３００へ送付するボックスセット提供手段２２６とから構成され、ボックスセット一時保持手段２２５とボックスセット提供手段２２６とはボックスセット管理手段２２７を構成している。
【００２３】
クライアント端末３００は店頭サーバ２００から受け取った購入証明を管理する書棚管理手段３０１と、クライアント端末３００と店頭サーバ２００或いはライセンス配信管理手段１００との間の通信を確立するウェブブラウザ３０２とを有している。クライアント端末３００はさらにライセンスの購入要求動作時におけるコマンドなどのデータ入力を行なうためのデータ入力手段３０３と、書棚管理手段３０１における管理内容を表示する表示手段３０４と、クライアント端末３００の処理動作をコントロールする制御手段３０５とを備えている。また、図１中、符号６００は商品情報データベース１１０に商品情報（ライセンス情報）を登録する商品情報登録端末である。
【００２４】
以下、クライアント端末３００を所有する、或いは操作するユーザ（顧客）がネットワークの一例として、インターネット上で電子書籍のライセンスの購入を希望した場合を例として、第１の実施の形態におけるライセンス配信システムの動作説明を行う。
【００２５】
本発明に係るディジタルコンテンツは、配信されてもライセンスがない限り閲覧することができない。その方法としては、ディジタルコンテンツを暗号化しておき、復号鍵をライセンスに含めるといった方法で実現する。この暗号化されたディジタルコンテンツはコンテンツ配信サーバ４００からクライアント端末３００へダウンロードされるが、そのダウンロードの時期については、いつ行なっても差し支えない。また、商品情報データベース１１０は、ＳＱＬ  データベースを使用して構築し、あらかじめ商品情報登録端末６００からＳＱＬ  のインサート文を用いて商品情報（ライセンス情報）が登録されているものとする。この商品情報データベース１１０の情報の一部は店頭サーバ２００へ送付されて、そのストアフロント窓口端末２１０の商品一覧格納手段２１２に格納される。
【００２６】
商品情報データベース１１０が管理する商品情報には、各商品の商品ＩＤ、商品名、価格、題名、著者、有効開始日時、有効終了日時、出版日、出版元などのデータが含まれている。また、ライセンス配信管理手段１００、店頭サーバ２００、クライアント端末３００などの各装置がネットワークによって接続されたシステムであり、クレジット情報等の個人情報や、著作権保護の為のライセンスを含んだデータを通信するため、セキュアに通信する必要があり、これはＳＳＬ・等のセキュアなプロトコルを使用して実現する。
【００２７】
図２および図３は本実施の形態におけるライセンス販売システムにおけるライセンス販売制御動作を示すシーケンス図である。図２において、先ずクライアント端末３００がウェブブラウザ３０２から店頭サーバ２００に対して会員ログイン要求を行なう。この会員ログイン要求には会員ＩＤとパスワードが添付される。店頭サーバ２００側ではストアフロント窓口端末２１０のクライアント要求受付手段２１１が上記ログイン要求を受け付けるとともに会員ＩＤとパスワードを取り込む。次にストアフロント窓口端末２１０は商品一覧格納手段２１２から商品一覧を読み出して会員用画面とクッキー情報とをウェブブラウザ３０２へ送付する。これ以降、ウェブブラウザ３０２はストアフロント窓口端末２１０への送信情報にクッキー情報を添える。商品一覧とは、店頭サーバ２００が販売しているコンテンツ利用権の説明情報である。
【００２８】
ストアフロント窓口端末２１０とウェブブラウザ３０２との間では購入すべき商品の選択が行なわれ、購入商品が決定すると（表品の数は１品目でも複数品目でもかまわない）、ウェブブラウザ３０２からストアフロント窓口端末２１０に対してライセンスの購入要求が送付される。このときの処理においては、購入する商品のＩＤ群が送信データとして送付される。
【００２９】
次に、店頭サーバ２００側ではストアフロント窓口端末２１０の購入要求対応手段２１３が上記購入要求を受け付け、購入商品から購入金額と税金の計算を行なう。そして、金額が求められるとその金額データが決済手段２１４へ送られ、決済手段２１４は課金処理部５００に対して決済要求を行なう。この決済要求に際して、決済手段２１４から課金処理部５００へは商品ＩＤ群、金額、クレジットカード番号などのデータが送付される。課金処理部５００は決済処理が終了すると決済応答をストアフロント窓口端末２１０へ返す。この決済応答には決済ＩＤが添えられている。
【００３０】
ストアフロント窓口端末２１０では、購入要求対応手段２１３において上記決済処理の結果が正常であるか異常であるかをチェックし、異常であればライセンスの購入要求／受け付けのネットワーク通信を切断する。決済結果が異常であるとは、決済が正しく実行されなかったり、該当するクレジットカード番号が存在しないとか残金不足であるといった場合などがある。決済結果が正常である場合は、店頭サーバ２００内において、ストアフロント窓口端末２１０からストアフロントゲートウェイ２２０に対して購入証明の要求がボックスセット要求の形で行なわれる。このボックスセット要求に際しては、上記決済ＩＤと、会員ＩＤと、クライアント端末３００から受けた商品ＩＤ群が送信データとして送付される。
【００３１】
ここで、購入証明とボックスセットとの関係について説明する。図４は購入証明のデータ構成を示す図であり、この購入証明はライセンス配信管理手段１００の購入証明生成手段１０１により生成される。この購入証明は、購入証明ＩＤと、購入物名称（商品名）とコンテンツダウンロードＵＲＬ、購入金額（税抜き）、消費税率、購入日時、購入端末ＩＰアドレス、購入店舗名称、ライセンス配信事業者名称、カスタマサポート名称、サポート電話番号、サポートＥ−メールアドレス、署名データの各データを含んでいる。なおここで、署名データは購入証明本体を特定の鍵とロジックで暗号化したデータであり、ライセンス配信管理手段１００において購入証明生成手段１０１により購入証明が生成されたときに署名が行なわれる。購入証明は商品の一つに対して一つが独立して生成され、この購入証明が一つ生成されて署名されると、ライセンス配信管理手段１００からストアフロントゲートウェイ２２０へ送られ、そこで購入証明はメタデータと一体にされてｅＢｏｘが作成される。図５はｅＢｏｘのデータ構成を示す図である。購入商品が複数あるときは、ライセンス配信管理手段１００からストアフロントゲートウェイ２２０へ複数の購入証明、すなわち、購入証明群が送られ、ストアフロントゲートウェイ２２０においてはｅＢｏｘは購入商品の数分だけ複数個生成されるとともに、それらの複数のｅＢｏｘがまとめられてボックスセットが生成される。
【００３２】
図６はボックスセットの構成を示す図であり、このボックスセットはボックスセットヘッダと単数または複数のｅＢｏｘとから構成される。ボックスセットに含まれるｅＢｏｘが単数か複数かは、ユーザが１回の買い物で購入する商品が一つか複数かによって決まる。以上から、購入証明と、ｅＢｏｘと、ボックスセットとは基本的に同じものであり、いずれも購入証明を構成の基本としていることが分かる。また、購入証明と、ｅＢｏｘと、ボックスセットは一般の取引におけるレシート（受取証、或いは引換券などでもよい）に相当する電子データであるとも言える。したがって、ボックスセット管理手段の処理はユーザの買い物に際してのレシート管理をしているのと同等の処理になる。
【００３３】
図７はボックスセットヘッダのデータ構造を示す図である。このボックスセットヘッダはボックスセットファイルＩＤと署名データを含んで成る。署名データはボックスセット本体を特定の鍵とロジックで暗号化したデータであり、ストアフロントゲートウェイ２２０によって、ボックスセット生成手段２２４によりボックスセットが生成されたときに署名が行なわれる。
【００３４】
以上の、購入証明と、ｅＢｏｘと、ボックスセットとの構成上の関係を示すと、図９に示すようになる。すなわち、ｅＢｏｘには主たる構成要素として購入証明が含まれ、ボックスセットはそのｅＢｏｘが１セットにまとめられているとともに、このボックスセットを確定（規定）するための署名が付されたボックスセットヘッダが付けられている。
【００３５】
図８はストアフロントゲートウェイ２２０により作成されるボックスセットファイルＩＤの構成を示す図である。このボックスセットファイルＩＤは会員ＩＤと決済ＩＤとボックスセットＩＤとから成る。
【００３６】
先に説明したように、決済結果が正常である場合は、店頭サーバ２００内において、ストアフロント窓口端末２１０からストアフロントゲートウェイ２２０に対して購入証明の要求がボックスセット要求の形で行なわれるが、このボックスセット要求が行なわれると、ストアフロントゲートウェイ２２０においては、上記ストアフロント窓口端末２１０からのボックスセット要求が正規なものであるか否かをチェックする。このチェックはストアフロント窓口端末２１０に対する簡易認証の処理により実行され、例えばストアフロント窓口端末２１０のＩＰアドレスを照合するなどの処理がなされる。ストアフロントゲートウェイ２２０には複数のストアフロント窓口端末２１０が接続されていることもあり、その場合はストアフロント窓口端末２１０のＩＰアドレスが多重化されることもある。
【００３７】
ストアフロント窓口端末２１０の認証が行なわれた後は、ストアフロントゲートウェイ２２０においてボックスセットファイル作成手段２２１により会員ＩＤのディレクトリの下に決済ＩＤをファイル名とするボックスセットファイルが作成される。上記決済ＩＤは、先の決済処理において課金処理部５００からの決済応答に添えられていた決済ＩＤである。なお、この時点ではボックスセットはまだ生成されていないのでボックスセットＩＤの記述はない。このようにして作成されたボックスセットファイルはボックスセットファイル管理手段２２２に保存される。ストアフロントゲートウェイ２２０は、上記ボックスセットファイルを作成した後、ライセンス配信管理手段１００に対して購入証明の要求を送付する（ＰＯＰ要求）。このＰＯＰ要求に当たっては、ストアフロント窓口端末２１０からのボックスセット要求に添えられていた商品ＩＤ群が送信データとして添付される。
【００３８】
ライセンス配信管理手段１００は、上記ＰＯＰ要求を受けると、ストアフロントゲートウェイ２２０からのＰＯＰ要求が正規なものであるか否かをチェックする。このチェックはストアフロントゲートウェイ認証の処理により実行され、例えばＳＳＬの相互認証などの処理によって行なわれる。ストアフロントゲートウェイ２２０の認証が行なわれた後は、ライセンス配信管理手段１００の購入証明作成手段１０１により購入証明（ＰＯＰ）が作成される。これと同時に購入証明作成手段１０１により購入証明作成履歴が記録され、この購入証明作成履歴は購入証明作成履歴格納手段１２０に保存される。なお、購入証明作成履歴の記録例を図２の中にテーブルの形で示す。この購入証明作成履歴の記録例において、・・「０１２３４５」とか「９８７６５４」は、作成した購入証明のＩＤであり、図４中の購入証明ＩＤに相当する。そして、作成された購入証明はストアフロントゲートウェイ２２０へ送付される。また、購入証明が複数作成されたときは購入証明群（ＰＯＰ群）が送付される。
【００３９】
購入証明を受け取ったストアフロントゲートウェイ２２０では、ボックスセット生成手段２２４において、各購入証明についてのｅＢｏｘが生成されるとともに、複数のｅＢｏｘをまとめて１セットにしたボックスセットが生成されてボックスセットファイル管理手段２２２に保持、管理される。このボックスセットにはボックスセットＩＤが付けられ、また、該当するボックスセットファイルにボックスセットの内容を記録するとともに、ボックスセットファイル名の拡張子に上記ボックスセットＩＤが付加される。そして、上記ボックスセットは、ボックスセットファイル管理手段２２２に保持されたままで、ボックスセットファイルＩＤがストアフロントゲートウェイ２２０からストアフロント窓口端末２１０へ送付される。
【００４０】
ストアフロント窓口端末２１０はボックスセットファイルＩＤを受け取ると、その購入要求対応手段２１３において決済完了通知兼ボックスセット自動取得のためのＨＴＭＬを作成する。このＨＴＭＬにはストアフロントゲートウェイ２２０から受け取ったボックスセットファイルＩＤが含まれる。上記決済完了通知兼ボックスセット自動取得のためのＨＴＭＬは購入要求対応手段２１３からクライアント端末３００のウェブブラウザ３０２へ送付される。
【００４１】
クライアント端末３００では受け取った決済完了通知兼ボックスセット自動取得のためのＨＴＭＬに基づいて表示手段３０４に決済完了の表示が行なわれる。表示画面には、例えば、
「購入ありがとうございました。引続きレシート（購入証明のこと）を受信します。」
のメッセージが表示される。
【００４２】
その後、クライアント端末３００のウェブブラウザ３０２はボックスセットを取得するための手続き（或いはプロセス）を自動的に起動し、ボックスセット取得の処理が開始される。ボックスセット取得の処理が開始されると、ウェブブラウザ３０２からストアフロント窓口端末２１０に対してボックスセット要求が送付される。このときの処理においては、ボックスセットファイルＩＤがデータとして添付される。次に、店頭サーバ２００側ではストアフロント窓口端末２１０の購入要求対応手段２１３が上記ボックスセット要求を受け付け、このボックスセット要求をストアフロントゲートウェイ２２０へ転送する。このときの処理においても、ボックスセットファイルＩＤがデータとして添付される。ストアフロントゲートウェイ２２０においては、上記ボックスセット要求を受けるとボックスセットファイルＩＤを基にボックスセット管理手段２２２から該当するボックスセットを抽出してボックスセット提供手段２２６へ送り、ボックスセット提供手段２２６がこのボックスセットをストアフロント窓口端末２１０へ送付する。
【００４３】
ストアフロント窓口端末２１０はボックスセットを受け取ると、その購入要求対応手段２１３からクライアント端末３００のウェブブラウザ３０２へボックスセットを送付する。ウェブブラウザ３０２はボックスセットを受け取ると、ボックスセットのＭＩＭＥタイプで書棚管理手段３０１を起動し、ボックスセットを書棚管理するために保存するとともに、書棚管理手段３０１から店頭サーバ２００へ向けてボックスセットの受信通知が送付される。これはクライアント端末３００が店頭サーバ２００からボックスセットを受け取ったことを確認するための通知である。このボックスセット受信通知はストアフロント窓口端末２１０の購入要求対応手段２１３からストアフロントゲートウェイ２２０へ送付される。ボックスセット受信通信にはボックスセットヘッダが添付される。
【００４４】
ストアフロントゲートウェイ２２０では、ボックスセット受信通知を受け取ると、ボックスセットヘッダが改ざんされていないか否かをチェックし改ざんされていなければボックスセットファイル管理手段２２２から当該ボックスセットファイルを削除する。このようにボックスセット受信通知を受け取るとストアフロントゲートウェイ２２０においてボックスセットファイルを削除するから、同じボックスセットを何回もクライアント端末３００へ向けて送付するという不具合はなく、確実な処理を行なうことができる。なおボックスセットファイルを削除したことによりその会員ＩＤに関するディレクトリが空になったときは会員ディレクトリそのものも削除される。これにより限りあるメモリ領域に不要なデータがいつまでも残ることはなく、メモリの有効利用が図れる。以上の処理の後、ストアフロントゲートウェイ２２０からストアフロント窓口端末２１０に対してボックスセット受信応答が返信され、さらにこのボックスセット受信応答はストアフロント窓口端末２１０からクライアント端末３００の書棚管理手段３０１へ返信される。
【００４５】
なお、以上の動作においては、クライアント端末３００側、すなわち、ユーザは未だライセンスを取得した状態にはなく、そのライセンスを取得するための購入証明（ボックスセットの形になっているレシートの集まり）を有しているに過ぎない。したがって、次にクライアント端末３００側においてライセンスを取得したい場合は、書棚管理手段３０１がボックスセットを各ボックス、すなわち、一つ一つのｅＢｏｘに分解し、ｅＢｏｘの内容をＧＵＩに一覧表示する。これに対してユーザが表示手段３０４に表示された一覧で、ライセンス取得対象を指定し、ライセンス配信管理手段１００へライセンス要求を送付する。このライセンス要求は、クライアント端末３００から店頭サーバ２００へ、ライセンスそのものの発行を要求するもので、ライセンス購入要求とは別の処理動作であり、このライセンス要求には指定されたｅＢｏｘの購入証明が添付される。
【００４６】
ライセンス配信管理手段１００は、上記ライセンス要求を受けると、書棚管理手段３０１からのライセンス要求に添付された購入証明が改ざんされているか否かをチェックし、改ざんされていなければその購入証明作成履歴格納手段１２０に当該購入証明を作成した記録が存在するか否かをチェックする。そして、当該購入証明を作成した記録が存在する場合は、ライセンス生成手段１０２においてその購入証明が指示するライセンスを生成するとともに、購入証明作成履歴格納手段１２０に存在する当該購入証明作成履歴を削除する。その後生成されたライセンスはライセンス提供手段１０３へ送られ、ライセンス提供手段からクライアント端末３００へ送付される。これにより、クライアント端末３００側において指示された購入証明に対応するライセンスが発行されたことになる。クライアント端末３００側においては、発行されたライセンスが書棚管理手段３０１に保存され、決められた期間内にライセンス実行がされる。なおライセンス実行の対象となるディジタルコンテンツはいつの時点でも任意にダウンロードし得ることは先に説明した通りである。一般には上記ライセンスが発行される、或いは実行されるまでの間の期間に適宜クライアント端末３００にダウンロードされているのが普通である。
【００４７】
以上のように、本実施の形態によれば、クライアント端末３００からネットワークを介してデジタルコンテンツを視聴するためのライセンスの購入要求を受信した場合、そのライセンスの購入要求を店頭サーバ２００のストアフロント窓口端末２１０で受け、このストアフロント窓口端末２１０で決済処理を第１段階で行ない、その後、このストアフロント窓口端末２１０で決済が確実に終了したことを確認した後、クライアント端末３００側から見て上記ストアフロント窓口端末２１０よりも奥に設置された店頭サーバの管理端末、すなわち、ストアフロントゲートウェイ２２０でライセンス発行に必要な処理を行なうようにしたため、クライアント端末３００や課金処理部５００との通信は常にストアフロント窓口端末２１０に委ねることができる。このため、クライアント端末３００や課金処理部５００と店頭サーバ２００とを接続する場合クライアント端末３００側および課金処理部５００側の仕様が店頭サーバ２００ごとに異なっていても店頭サーバ２００側における通信接続構造の変更をストアフロントゲートウェイ２２０についてまで行なう必要はなく、多様な店頭サーバ２００に対応できる高い汎用性をストアフロントゲートウェイ２２０に持たせることができる。
【００４８】
（第２の実施の形態）
図１０および図１１は、本発明の第２の実施の形態に係るライセンス販売システムにおけるライセンス販売制御動作を示すシーケンス図である。
【００４９】
この実施の形態におけるライセンス販売制御動作は、基本的には先に説明した第１の実施の形態におけるライセンス販売制御動作と同じである。この第１の実施の形態におけるライセンス販売制御動作と異なる点は、ストアフロントゲートウェイ２２０においてボックスセット生成手段２２４がボックスセットを生成した後の処理に係る点である。
【００５０】
すなわち、ライセンス配信管理手段１００が購入証明を作成した後、このライセンス配信管理手段１００から購入証明を受け取ったストアフロントゲートウェイ２２０では、ボックスセット生成手段２２４において、各購入証明についてのｅＢｏｘが生成され、また、複数のｅＢｏｘをまとめて１セットにしたボックスセットが生成される。さらに、このボックスセットにはボックスセットＩＤが付けられ、また、該当するボックスセットファイルにボックスセットの内容を記録するとともに、ボックスセットファイル名の拡張子に上記ボックスセットＩＤが付加される。
【００５１】
以上までは、第１の実施の形態、第２の実施の形態の動作は同じである。この後からの処理が、本第２の実施の形態では、第１の実施の形態と異なる。すなわち、ストアフロントゲートウェイ２２０においては、上記ボックスセットＩＤの付与、およびボックスセットファイルＩＤへの付加が行なわれた後、直ちに、ボックスセット提供手段２２６へ送り、ボックスセット提供手段２２６がこのボックスセットをストアフロント窓口端末２１０へ送付する。
【００５２】
ストアフロント窓口端末２１０はボックスセットを受け取ると、その購入要求対応手段２１３からクライアント端末３００へボックスセットを送付する。クライアント端末３００ではボックスセットを受け取ると、ボックスセットのＭＩＭＥタイプで書棚管理手段３０１が起動し、ボックスセットを書棚管理すために保存するとともに、書棚管理手段３０１から店頭サーバ２００へ向けてボックスセットの受信通知が送付される。このボックスセット受信通知はストアフロント窓口端末２１０の購入要求対応手段２１３からストアフロントゲートウェイ２２０へ送付される。ストアフロントゲートウェイ２２０では、ボックスセット受信通知を受け取ると、ボックスセットヘッダが改ざんされていないか否かをチェックし改ざんされていなければボックスセットファイル管理手段２２２から当該ボックスセットファイルを削除する。なおボックスセットファイルを削除したことによりその会員ＩＤに関するディレクトリが空になったときは会員ディレクトリそのものも削除される。
【００５３】
次にクライアント端末３００側においてライセンスを取得したい場合は、書棚管理手段３０１がボックスセットを各ボックス、すなわち、一つ一つのｅＢｏｘに分解し、ｅＢｏｘの内容をＧＵＩに一覧表示する。これに対してユーザが表示手段３０４に表示された一覧で、ライセンス取得対象を指定し、ライセンス配信管理手段１００へライセンス要求を送付する。このライセンス要求には指定されたｅＢｏｘの購入証明が添付される。
【００５４】
ライセンス配信管理手段１００は、上記ライセンス要求を受けると、書棚管理手段３０１からのライセンス要求に添付された購入証明が改ざんされているか否かをチェックし、改ざんされていなければその購入証明作成履歴格納手段１２０に当該購入証明を作成した記録が存在するか否かをチェックする。そして、当該購入証明を作成した記録が存在する場合は、ライセンス生成手段１０２においてその購入証明が指示するライセンスを生成するとともに、購入証明作成履歴格納手段１２０に存在する当該購入証明作成履歴を削除する。その後生成されたライセンスはライセンス提供手段１０３へ送られ、ライセンス提供手段からクライアント端末３００へ送付される。これにより、クライアント端末３００側において指示された購入証明に対応するライセンスが発行されたことになる。
【００５５】
このように、ストアフロントゲートウェイ２２０において、ボックスセットが生成された後、ボックスセットファイルＩＤをクライアント端末３００へ送付する手順を省略して、直ちに、ボックスセットをストアフロント窓口端末２１０へ送付することにより、ライセンス販売システムのライセンス販売制御動作における処理手順を簡略化することができ、より速い処理動作が実現できる。また、ライセンス販売制御動作のためのプログラムも簡素化するとができ、アプリケーション上のトラブルの発生を或る程度抑制することができる。
【００５６】
（第３の実施の形態）
図１２および図１３は、本発明の第３の実施の形態に係るライセンス販売システムにおいて、クライアント端末３００から店頭サーバ２００へ購入要求を送付して決済が行なわれたにも関わらず店頭サーバ２００のタスクが応答しない場合における対応動作を示すシーケンス図である。
【００５７】
この実施の形態においては、図１２に示すように、先ずクライアント端末３００がウェブブラウザ３０２から店頭サーバ２００に対して会員ログイン要求を行なう。この会員ログイン要求には会員ＩＤとパスワードが添付される。店頭サーバ２００側ではストアフロント窓口端末２１０のクライアント要求受付手段２１１が上記ログイン要求を受け付けるとともに会員ＩＤとパスワードを取り込む。次にストアフロント窓口端末２１０は各種操作メニュー（トラブル対応処理を含む）を表す会員用画面とクッキー情報とをウェブブラウザ３０２へ送付する。これ以降、ウェブブラウザ３０２はストアフロント窓口端末２１０への送信情報にクッキー情報を添える。
【００５８】
ウェブブラウザ３０２は各種操作メニューから購入履歴要求を選択し、この購入履歴要求を店頭サーバ２００に送付する。
【００５９】
次に、店頭サーバ２００側ではストアフロント窓口端末２１０の購入要求対応手段２１３がその会員の過去所定時間（例えば４８時間）以内の決済履歴と決済ＩＤを取得し、その後、ストアフロントゲートウェイ２２０に対してボックスセットファイルＩＤを要求する。ストアフロントゲートウェイ２２０においては、ボックスセットファイル管理手段２２２から当該会員ＩＤが示す会員ＩＤディレクトリの下のボックスセットファイル名を取得し、ボックスセットファイルＩＤ（複数ある場合はＩＤ群）をストアフロント窓口端末２１０へ送付する。ストアフロント窓口端末２１０では、決済履歴とボックスセットファイルＩＤとを突き合わせて購入履歴一覧ＨＴＭＬを作成する。この購入履歴一覧の中には未取得のボックスセットがあればそのボックスセットが明示されている。ストアフロント窓口端末２１０は上記購入履歴一覧をクライアント端末３００へ送付する。クライアント端末３００では送付されてきた購入履歴一覧をチェックし、決済完了であるにも関わらずボックスセット再取得が不可能の場合コールセンターに連絡をする。
【００６０】
この後の処理については、少なくとも２つの処理がある。
（第１の対応処理：返金処理）
この処理においては、コールセンターが課金処理部５００との間で返金処理を行なう。この場合は、コールセンターが課金処理部５００へ向けて手動返金要求を送付する。この手動返金要求には決済ＩＤ、会員ＩＤなどのデータが添付される。課金処理部５００においては、与信の取消処理が実行され、その後手動返金応答がコールセンターへ返信される。これによりクライアント端末３００側は返金を受けることができる。
【００６１】
（第２の対応処理：再発行処理）
この処理においては、コールセンターが店頭サーバ２００に対してボックスセット手動再発行要求を送付する。この手動再発行要求には決済ＩＤ、会員ＩＤ商品ＩＤ群のデータが添付される。店頭サーバ２００においては、ストアフロントゲートウェイ２２０が、上記コールセンターからの手動再発行要求が正規なものであるか否かをチェックする。このチェックはコールセンターに対する簡易認証の処理により実行され、例えばコールセンターのオペレータ端末のＩＰアドレスを照合するなどの処理がなされる。次に、フロントゲートウェイ２２０はライセンス配信管理手段１００に対して購入証明の要求を送付する（ＰＯＰ要求）。このＰＯＰ要求に当たっては、商品ＩＤ群が送信データとして添付される。
【００６２】
ライセンス配信管理手段１００は、上記ＰＯＰ要求を受けると、ストアフロントゲートウェイ２２０からのＰＯＰ要求が正規なものであるか否かをチェックする。このチェックはストアフロントゲートウェイ認証の処理により実行され、例えばＳＳＬの相互認証などの処理によって行なわれる。ストアフロントゲートウェイ２２０の認証が行なわれた後は、ライセンス配信管理手段１００の購入証明作成手段１０１により購入証明（ＰＯＰ）が作成される。これと同時に購入証明作成手段１０１により購入証明作成履歴が記録され、この購入証明作成履歴は購入証明作成履歴格納手段１２０に保存される。そして、作成された購入証明はストアフロントゲートウェイ２２０へ送付される。また、購入証明が複数作成されたときは購入証明群（ＰＯＰ群）が送付される。
【００６３】
購入証明を受け取ったストアフロントゲートウェイ２２０では、ボックスセット生成手段２２４において、各購入証明についてのｅＢｏｘが生成されるとともに、複数のｅＢｏｘをまとめて１セットにしたボックスセットが生成される。このボックスセットにはボックスセットＩＤが付けられ、また、該当するボックスセットファイルにボックスセットの内容を記録するとともに、ボックスセットファイル名の拡張子に上記ボックスセットＩＤが付加される。そして、ストアフロントゲートウェイ２２０からはコールセンターに対してボックスセット手動再発行応答が送付され、これによりクライアント端末３００側は「未定取得ボックスセット一覧要求」を行なうことによりボックスセットを再取得することができる。
【００６４】
図１３は未定取得ボックスセットが再取得一覧にある場合におけるボックスセットの再要求処理動作を表すシーケンス図である。この場合は、ウェブブラウザ３０２からストアフロント窓口端末２１０に対してボックスセット要求が送付される。このときの処理においては、ボックスセットファイルＩＤがデータとして添付される。次に、店頭サーバ２００側ではストアフロント窓口端末２１０の購入要求対応手段２１３が上記ボックスセット要求を受け付け、このボックスセット要求をストアフロントゲートウェイ２２０へ転送する。このときの処理においても、ボックスセットファイルＩＤがデータとして添付される。ストアフロントゲートウェイ２２０においては、上記ボックスセット要求を受けるとボックスセットファイルＩＤを基にボックスセットファイル管理手段２２２から該当するボックスセットを抽出してボックスセット提供手段２２６へ送り、ボックスセット提供手段２２６がこのボックスセットをストアフロント窓口端末２１０へ送付する。
【００６５】
ストアフロント窓口端末２１０はボックスセットを受け取ると、その購入要求対応手段２１３からクライアント端末３００へボックスセットを送付する。クライアント端末３００ではボックスセットを受け取ると、ボックスセットのＭＩＭＥタイプで書棚管理手段３０１が起動し、ボックスセットを書棚管理するために保存するとともに、書棚管理手段３０１から店頭サーバ２００へ向けてボックスセットの受信通知が送付される。これは現在進行中のボックスセット再発行においてクライアント端末３００が店頭サーバ２００からボックスセットを受け取ったことを確認するための通知である。この受信されたボックスセット受信通知はストアフロント窓口端末２１０の購入要求対応手段２１３からストアフロントゲートウェイ２２０へ送付される。
【００６６】
ストアフロントゲートウェイ２２０では、ボックスセット受信通知を受け取ると、ボックスセットヘッダが改ざんされていないか否かをチェックし改ざんされていなければボックスセットファイル管理手段２２２から当該ボックスセットファイルを削除する。このようにボックスセット受信通知を受け取るとストアフロントゲートウェイ２２０においてボックスセットファイルを削除するから、同じボックスセットを何回もクライアント端末３００へ向けて送付するという不具合はなく、確実な処理を行なうことができる。なおボックスセットファイルを削除したことによりその会員ＩＤに関するディレクトリが空になったときは会員ディレクトリそのものも削除される。これにより限りあるメモリ領域に不要なデータがいつまでも残ることはなく、メモリの有効利用が図れる。以上の処理の後、ストアフロントゲートウェイ２２０からストアフロント窓口端末２１０に対してボックスセット受信応答が返信され、さらにこのボックスセット受信応答はストアフロント窓口端末２１０からクライアント端末３００の書棚管理手段３０１へ返信される。なお、本実施の形態においては、書棚管理手段３０１からストアフロント窓口端末２１０を経由してストアフロントゲートウェイ２２０へボックスセットの受信通知が送付された後、ストアフロントゲートウェイ２２０からストアフロント窓口端末２１０を経由して書棚管理手段３０１へボックスセット受信応答が返信される一連の受信通知・受信応答処理において、タスクが無応答であった場合は、再受信通知・受信応答処理の処理は行なわない。そして、ストアフロントゲートウェイ２２０における「残留ボックスセット削除バッチ」に処理を移管させる。
【００６７】
【発明の効果】
以上説明したように、本発明によれば、第１に、クライアント端末からネットワークを介してデジタルコンテンツを視聴するためのライセンスの購入要求を受信した場合、そのライセンスの購入要求を店頭サーバの受付窓口端末で受け、この受付窓口端末で決済処理を第１段階で行なうようにしたため、ライセンス販売に際しての金銭の取得ミスを無くすことができる上、ライセンス販売処理において課金、未課金をチェックするテーブルや処理が不要となり、処理動作の簡素化と処理プログラムの簡素化およびメモリの有効利用が図れる。
【００６８】
本発明は第２に、クライアント端末と店頭サーバとの間の通信動作において、クライアント端末からの要求は店頭サーバの受付窓口端末で受け付け、その後に、クライアント端末側から見て前記受付窓口端末よりも奥に設置された店頭サーバの管理端末でライセンス発行に必要な処理を行なうようにしたため、
クライアント端末や課金処理部との通信は常にストアフロント窓口端末に委ねることができる。このため、クライアント端末や課金処理部と店頭サーバとを接続する場合クライアント端末側および課金処理部側の仕様が店頭サーバごとに異なっていても店頭サーバ側における通信接続構造の変更を店頭サーバの管理端末であるストアフロントゲートウェイについてまで行なう必要はなく、汎用性に優れた店頭サーバとすることができる。
【００６９】
本発明は第３に、上記決済後にライセンス発行に必要な処理を行なうに際して、ライセンスを直接発行せず購入証明を作成してクライアント端末に送付し、その後クライアント端末からライセンス発行要求を受けてライセンスを発行するようにしたため、ライセンス販売における事故や食い違いを回避することができる。
【００７０】
本発明は第４に、購入証明の生成から、クライアント端末への送付までの処理の履歴を明らかにし得るボックスセットファイルを作成し、作成したボックスセットファイルにそのファイルＩＤと前記決済のＩＤなどの必要なデータを、各処理の実行の都度付加するようにしたため、途中の処理の進行度合いが明らかになり、トラブルの発生を防止することができる。
【００７１】
本発明は第５に、購入証明を作成したとき、その購入証明を直ちにクライアント端末に送付せず購入証明取得用の電子データをクライアント端末に送付し、その後クライアント端末から購入証明要求を受けて購入証明を送付するようにしたため、購入証明の受渡しをより確実に行なえる。
【００７２】
本発明は第６に、購入証明をクライアント端末に送付するときはボックスセットファイルを削除するようにしたため、不要になったデータがメモリに残らず、メモリの有効利用が図れる。
【００７３】
本発明は第７に、ライセンス販売中にタスクが応答しなくなっても、ボックスセットファイルの参照により、処理を再継続し、購入証明の再発行を行なうため、安全で確実な購入証明の発行が行なえる。
【図面の簡単な説明】
【図１】本発明の第１の実施の形態におけるライセンス配信システムのブロック構成図
【図２】本発明の第１の実施の形態におけるライセンス販売システムにおけるライセンス販売制御動作を示すシーケンス図
【図３】本発明の第１の実施の形態におけるライセンス販売システムにおけるライセンス販売制御動作を示す前記図２に引続くシーケンス図
【図４】本発明の第１の実施の形態における購入証明のデータ構成を示す図
【図５】本発明の第１の実施の形態におけるｅＢｏｘのデータ構成を示す図
【図６】本発明の第１の実施の形態における図６はボックスセットの構成を示す図
【図７】本発明の第１の実施の形態におけるボックスセットヘッダのデータ構造を示す図
【図８】本発明の第１の実施の形態におけるストアフロントゲートウェイにより作成されるボックスセットファイルＩＤの構成を示す図
【図９】本発明の第１の実施の形態における購入証明と、ｅＢｏｘと、ボックスセットとの構成上の関係を示す図
【図１０】本発明の第２の実施の形態に係るライセンス販売システムにおけるライセンス販売制御動作を示すシーケンス図
【図１１】本発明の第２の実施の形態に係るライセンス販売システムにおけるライセンス販売制御動作を示す前記図１０に引き続くシーケンス図
【図１２】本発明の第３の実施の形態に係るライセンス販売システムにおいて、店頭サーバタスクが応答しない場合における対応動作を示すシーケンス図
【図１３】本発明の第３の実施の形態に係るライセンス販売システムにおいて、店頭サーバのタスクが応答しない場合における対応動作を示す前記図１２に引き続くシーケンス図
【符号の説明】
１００    ライセンス配信管理手段
１０１    購入証明作成手段
１０２    ライセンス生成手段
１０３    ライセンス提供手段
１１０    商品情報データベース
１２０    購入証明作成履歴格納手段
２００    店頭サーバ
２１０    ストアフロント窓口端末（受付窓口端末）
２１１    クライアント要求受付手段
２１２    商品一覧格納手段
２１３    購入要対応手段
２１４    決済手段
２２０    ストアフロントゲートウェイ（管理端末）
２２１    ボックスセットファイル作成手段
２２２    ボックスセットファイル管理手段
２２３    ボックスセットファイル削除手段
２２４    ボックスセット生成手段
２２６    ボックスセット提供手段
２２６    ボックスセット管理手段
３００    クライアント端末
３０１    書棚管理手段
３０２    ウェブブラウザ
３０３    データ入力手段
３０４    表示手段
３０５    制御手段
４００    コンテンツ配信サーバ
５００    課金処理部
６００    商品情報登録端末
【図１】
2005004304.tif 000003
【図２】
2005004304.tif 000004
【図３】
2005004304.tif 000005
【図４】
2005004304.tif 000006
【図５】
2005004304.tif 000007
【図６】
2005004304.tif 000008
【図７】
2005004304.tif 000009
【図８】
2005004304.tif 000010
【図９】
2005004304.tif 000011
【図１０】
2005004304.tif 000012
【図１１】
2005004304.tif 000013
【図１２】
2005004304.tif 000014
【図１３】
2005004304.tif 000015